Podtech/llm-jp-corpus-v4-ja_patent huggingface dataset:
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
少なくとも一つの区画された検体結合領域を有するマイクロ流体デバイス上に提供された，閉じられた検出領域中の検体に関して検体のパラメータを決定する方法であって，
前記結合領域で結合した，単一分子を含む検体要素の存在を検出するステップと，
検体要素数を増加又は減少させるステップと，
前記要素のリカウントを防止するステップとを含む，
方法。
【請求項２】
請求項１に記載の方法であって，前記検体要素は，タンパク質，糖タンパク質，タンパク質の後翻訳修飾体，ＤＮＡ及びｍＲＮＡの少なくとも一つを含む生体分子を含む，方法。
【請求項３】
請求項１又は２に記載の方法であって，前記検体結合領域は，親和性パッチを含み，前記検体要素の存在は前記親和性パッチで検出される，方法。
【請求項４】
請求項１から請求項３のいずれか１項に記載の方法であって，前記検体は，細胞のタンパク質を含み，前記細胞は，前記検出領域で捕捉され，前記細胞のタンパク質を遊離するために光学的又は化学的に溶解される，方法。
【請求項５】
請求項１から請求項４のいずれか１項に記載の方法であって，前記検体のパラメータは，検出した前記検体要素の数を含む，方法。
【請求項６】
請求項１から請求項５のいずれか１項に記載の方法であって，検出した前記検体要素をブリーチングすることによって，又は画像比較によって，前記リカウントが防止され，前記画像比較のステップは，連続画像を減算するステップを含む，方法。
【請求項７】
請求項１から請求項６のいずれか１項に記載の方法であって，前記検体要素の蛍光体が検出される，方法。
【請求項８】
請求項１から請求項７のいずれか１項に記載の方法であって，前記検体は，静的ハイブリダイゼーション又は連続フローレジームのいずれかの結合領域に存在するか，又は前記結合領域で液相の物質に結合している，方法。
【請求項９】
請求項１から請求項８のいずれか１項に記載した方法を含み，経時的に結合速度をモニタリングするステップをさらに含む，検体の濃度を外挿法によって推定する方法。
【請求項１０】
少なくとも１つの備え付けの区画された検体結合領域を有する検体のチャンバーを含む，単一分子を含む検体要素の存在を検出するマイクロ流体分析デバイス。
【請求項１１】
請求項１０に記載のデバイスであって，前記検体結合領域は，親和性パッチを含む，デバイス。
【請求項１２】
請求項１０又は１１に記載のデバイスを含み，前記結合領域で結合した検体要素の存在を検出するように配置した検出器をさらに含み，検体要素の存在を示す前記検出器からの信号を受信し，前記信号の受信でカウントした検体要素を増加させるように配置されるプロセッサをさらに含み，前記プロセッサは，画像比較ステップによって前記要素のリカウントを防ぐように配置されている，装置。
【請求項１３】
請求項１から請求項９のいずれか１項に記載の方法を実施するための命令を含む，コンピュータプログラム。
【請求項１４】
請求項１３のコンピュータプログラムを格納する，コンピュータ読取可能媒体。
【請求項１５】
生物学的血清からバイオマーカーを検出するステップを含み，
単一細胞プロテオミクスを実行するか，又は
タンパク質間相互作用をモニタリングするステップを含み，
請求項１から請求項９のいずれか１項に記載の方法を含む，
非増幅ｍＲＮＡの単一分子をカウントする方法。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
少なくとも、磁化ユニット（１）と、第１の磁気感受性プローブ（２）と、第２の磁気感受性プローブ（３）とを含む磁気位置検出器（Ａ）において、
・前記第１および第２の磁気感受性プローブ（２、３）は互いに対して固定されており、
・前記磁化ユニット（１）は変位行程にわたり前記の第１および第２の磁気感受性プローブ（２、３）に対して可動であり、各瞬間において絶対位置を有しており、
・前記磁化ユニット（１）は、前記第１の磁気感受性プローブ（２）の近くに、一方では法線成分と、他方では少なくとも１つの接線成分または横断成分とを有する磁場であって、前記変位行程にわたり分布するＮ周期にわたって、正弦波的かつ周期的に変化する前記磁場を生成し、Ｎは１よりも大きい数字であり、
・前記第１の磁気感受性プローブ（２）は、前記磁場の３成分のうちの少なくとも２つを測定して、前記磁化ユニット（１）の位置に関連する第１のデータを決定することができる、磁気位置検出器（Ａ）であって、
前記第２の磁気感受性プローブ（３）は、この第２の磁気感受性プローブ（３）が作動しているか否かに関係なく、絶対的、漸増的、かつ反転可能な方法で、前記磁場の完全な回転の回数を測定して、磁石（１）の位置に関連する第２のデータを決定することができ、前記検出器は前記第１のデータと前記第２のデータとから前記磁石（１）の絶対位置を計算するモジュールを含むことを特徴とする磁気位置検出器（Ａ）。
【請求項２】
請求項１に記載の磁気位置検出器（Ａ）であって、前記磁化ユニット（１）が変位方向に沿って連続的に変化できる磁化方向を有することを特徴とする磁気位置検出器（Ａ）。
【請求項３】
請求項２に記載の磁気位置検出器（Ａ）であって、前記磁化ユニット（１）が前記変位方向に沿って直線的に変化する磁化方向を有することを特徴とする磁気位置検出器（Ａ）。
【請求項４】
請求項１に記載の磁気位置検出器（Ａ）であって、前記磁化ユニット（１）が南北磁化極の交代を有することを特徴とする磁気位置検出器（Ａ）。
【請求項５】
請求項１に記載の磁気位置検出器（Ａ）であって、前記磁化ユニット（１）が一方向磁化を有しており、その寸法のうちの少なくとも１つが非定常的に変化することを特徴とする磁気位置検出器（Ａ）。
【請求項６】
請求項１〜５のうちのいずれか１項に記載の回転式の磁気位置検出器（Ａ）であって、前記磁化ユニット（１）が環形状を有し、前記磁化ユニット（１）の回転軸に垂直な平面内に磁化方向を有することを特徴とする回転式の磁気位置検出器（Ａ）。
【請求項７】
請求項１〜５のうちのいずれか１項に記載の回転式の磁気位置検出器（Ａ）であって、前記磁化ユニット（１）がディスク形状を有し、ディスクの平面に垂直な磁化方向を有することを特徴とする回転式の磁気位置検出器（Ａ）。
【請求項８】
請求項１〜５のうちのいずれか１項に記載の回転式の磁気位置検出器（Ａ）であって、前記磁化ユニット（１）が３６０°未満の角度幅にわたって広がった形状を有することを特徴とする回転式の磁気位置検出器（Ａ）。
【請求項９】
請求項１〜５のうちのいずれか１項に記載の直線磁気位置検出器（Ａ）であって、前記磁化ユニット（１）が変位方向に沿って直線的に延びていることを特徴とする直線磁気位置検出器（Ａ）。
【請求項１０】
請求項１〜９のうちのいずれか１項に記載の磁気位置検出器（Ａ）であって、前記第１および第２の磁気感受性プローブ（２、３）を同一のプリント回路（４）上に配置することを特徴とする磁気位置検出器（Ａ）。
【請求項１１】
トーションバーにより連結された第１のシャフトと第２のシャフトとの間のトルクを検出するための磁気検出装置であって、
・請求項１〜１０のうちのいずれか１項に記載の位置検出器（Ａ）と、
・前記第１のシャフトに留められ、放射状に配向された複数の磁石（８）を含む回転子第１磁気構造（７）と、
・前記第２のシャフトに留められ、うろこ状に重なって軸方向に配向された歯（１２、１３）により広げられた２つのリング（１０、１１）を含む固定子第２構造（２０）と、
・少なくとも第３の磁気感受性プローブ（１７）配置される少なくとも１つのギャップ（１８）を形成する２つの磁束遮へい部品（１５、１６）で構成された固定収集第３構造（１４）と
を備える、磁気検出装置。
【請求項１２】
同じプリント回路（４ａ）上に前記第１、第２、および第３のプローブ（２、３、１７）を配置している、請求項１１に記載の磁気検出装置。
【請求項１３】
前記磁化ユニット（１）が、前記歯（１２、１３）の周囲に位置するリングの形状をしている、請求項１１または１２に記載の磁気検出装置。
【請求項１４】
前記複数の磁石（８）が前記磁化ユニット（１）に属している、請求項１１または１２に記載の磁気検出装置。
【請求項１５】
トーションバーにより連結された第１のシャフトと第２のシャフトとの間のトルクを検出するための磁気装置であって、
・請求項１〜１０のうちのいずれか１項に記載の位置検出器（Ａ）と、補助磁化ユニット（１ｂ）と、補助磁気感受性プローブ（２ｂ）とを備え、
・前記位置検出器（Ａ）の前記磁化ユニット（１ａ）は前記第１のシャフト（５）に留められて、この第１のシャフト（５）の角度位置Θ１に関する第１の位置情報項目を前記位置検出器（Ａ）が送出できるようになっており、
・前記補助磁化ユニット（１ｂ）は前記第２のシャフト（６）に留められ、前記補助磁気感受性プローブ（２ｂ）に対して動くことができ、この補助プローブ（２ｂ）は前記第２のシャフト（６）の角度位置Θ２に関する第２の位置情報項目を送出することが可能であり、
・前記装置は前記第１および第２の位置情報項目の組み合わせから前記第１のシャフト（５）と前記第２のシャフト（６）との間の角度位置の差を、
【数１】
2012533058.tif 000001
のように計算することが可能な中央処理モジュールを備え、ここで、
・Ｂｎ１は、前記第１のプローブ（２ａ）により測定される、前記磁化ユニット（１ａ）が生成する磁場の法線成分であり、
・Ｂｎ２は、前記補助プローブ（２ｂ）により測定される、前記補助磁化ユニット（１ｂ）が生成する磁場の法線成分であり、
・Ｂｔ１は、前記第１のプローブ（２ａ）により測定される、前記磁化ユニット（１ａ）が生成する磁場の接線成分であり、
・Ｂｔ２は、前記補助プローブ（２ｂ）により測定される、前記補助磁化ユニット（１ｂ）が生成する磁場の接線成分であり、
・｜Ｂｎ１｜＝Ｇ１｜Ｂｔ１｜、｜Ｂｎ２｜＝Ｇ２｜Ｂｔ２｜、およびＧ｜Ｂｎ１｜＝｜Ｂｎ２｜である、磁気装置。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
相互に連通する孔を有する、組織修復用の三次元スキャフォールドであって、
該スキャフォールドは、
組織の前記スキャフォールドの構造支持のためのスキャフォールド本体であって、前記スキャフォールド本体を規定し且つ０．４ＭＰａを超えるスキャフォールド本体の圧縮強さを提供するために、相互に結合されたスキャフォールド本体の構成要素を含む、スキャフォールド本体を含んでおり、
前記スキャフォールド本体の構成要素は、重量％で
Ｂ２Ｏ３      ４０〜９０
Ｎａ２Ｏ      ０〜２５
Ｌｉ２Ｏ      ０〜２５
Ｋ２Ｏ        ０〜２５
Ｒｂ２Ｏ      ０〜２５
ＣａＯ        ０〜４０
ＭｇＯ        ０〜２５
ＳｒＯ        ０〜４０
ＢａＯ        ０〜５０
Ｐ２Ｏ５        ０〜１０
ＳｉＯ２      ０〜１８
Ａｌ２Ｏ３      ０〜３
Ｆ            ０〜４
遷移金属元素  累積で０〜１０
を含む構成要素材料から形成されており、
Ｌｉ２Ｏ、Ｎａ２Ｏ、Ｋ２ＯおよびＲｂ２Ｏの１種以上は、約１〜約５０重量％の累積濃度で存在し、
ＭｇＯ、ＳｒＯ、ＢａＯおよびＣａＯの１種以上は約１〜約５０重量％の累積濃度で存在し、
前記スキャフォールド本体は約１５〜約９０容量％の多孔率を有することを特徴とするスキャフォールド。
【請求項２】
Ｂ２Ｏ３濃度が約５０〜約９０重量％であることを特徴とする請求項１に記載のスキャフォールド。
【請求項３】
Ｂ２Ｏ３濃度が約６０〜約８２重量％であることを特徴とする請求項１に記載のスキャフォールド。
【請求項４】
前記スキャフォールド本体の構成要素が、ＭｇＯを約１〜２５重量％の濃度で含むことを特徴とする請求項１〜３のいずれかに記載のスキャフォールド。
【請求項５】
前記スキャフォールド本体の構成要素が、Ｋ２Ｏを約１〜２５重量％の濃度で含み、ＭｇＯを約１〜２５重量％の濃度で含むことを特徴とする請求項１〜３のいずれかに記載のスキャフォールド。
【請求項６】
前記構成要素材料中におけるＣａ濃度が５重量％未満に厳密に制御されることを特徴とする請求項１〜５のいずれかに記載のスキャフォールド。
【請求項７】
前記構成要素材料中におけるＣａ濃度が０．１重量％未満に厳密に制御されることを特徴とする請求項１〜５のいずれかに記載のスキャフォールド。
【請求項８】
前記構成要素材料が、Ｌｉ２Ｏ、Ｎａ２Ｏ、Ｋ２ＯおよびＲｂ２Ｏから選ばれる２種以上の酸化物を約５〜約２５重量％の累積濃度で含むことを特徴とする請求項１〜７のいずれかに記載のスキャフォールド。
【請求項９】
前記構成要素材料が、Ｌｉ２Ｏ、Ｎａ２Ｏ、Ｋ２ＯおよびＲｂ２Ｏから選ばれる２種以上の酸化物を約５〜約２５重量％の累積濃度で含み、ＭｇＯ、ＳｒＯ、ＢａＯおよびＣａＯから選ばれる２種以上の酸化物を約１〜約４５重量％の累積濃度で含むことを特徴とする請求項１〜８のいずれかに記載のスキャフォールド。
【請求項１０】
前記構成要素材料が、さらに、Ｚｎ、Ｃｕ、Ｆｅ、Ｍｎ、Ｓｉ、Ｓｒ、Ｎｉ、ＭｏおよびＳｅからなる群から選ばれる１種以上の元素を、１元素あたり約０．０１〜１０重量％で且つ累積して２５重量％未満の量で含むことを特徴とする請求項１〜９のいずれかに記載のスキャフォールド。
【請求項１１】
前記構成要素材料が、さらに、約０．０１〜１０重量％のＣｕを酸化銅として含むことを特徴とする請求項１〜１０のいずれかに記載のスキャフォールド。
【請求項１２】
前記スキャフォールド本体の構成要素の少なくとも１０重量％が、請求項１に記載の組成内の第１の構成要素材料を含み、
前記スキャフォールド本体の構成要素の少なくとも１０重量％が、請求項１に記載の組成内の第２の構成要素材料を含み、
前記第１の構成要素材料と前記第２の構成要素材料とは互いに異なる組成を有することを特徴とする請求項１〜１１のいずれかに記載のスキャフォールド。
【請求項１３】
前記構成要素材料の５重量％未満が結晶質材料であることを特徴とする請求項１〜１２のいずれかに記載のスキャフォールド。
【請求項１４】
前記本体の構成要素がガラス繊維を含むことを特徴とする請求項１〜１３のいずれかに記載のスキャフォールド。
【請求項１５】
前記スキャフォールド本体の構成要素が、本質的に、４０〜９０重量％のＢ２Ｏ３、１〜２５重量％のＮａ２Ｏ、１〜２５％のＫ２Ｏ、１〜４０重量％のＣａＯ、１〜２５重量％のＭｇＯ、および１〜１０重量％のＰ２Ｏ５から成ることを特徴とする請求項１に記載のスキャフォールド。
【請求項１６】
前記スキャフォールド本体の構成要素が、本質的に、４０〜９０重量％のＢ２Ｏ３、１〜２５重量％のＬｉ２Ｏ、および１〜４０重量％のＣａＯから成ることを特徴とする請求項１に記載のスキャフォールド。
【請求項１７】
前記スキャフォールド本体の構成要素が、本質的に、４０〜９０重量％のＢ２Ｏ３、１〜２５重量％のＮａ２Ｏ、および１〜４０重量％のＣａＯから成ることを特徴とする請求項１に記載のスキャフォールド。
【請求項１８】
前記スキャフォールド本体の構成要素が、本質的に、４０〜９０重量％のＢ２Ｏ３、１〜２５重量％のＮａ２Ｏ、および１〜４０重量％のＢａＯから成ることを特徴とする請求項１に記載のスキャフォールド。
【請求項１９】
前記スキャフォールド本体の構成要素が、本質的に、４０〜９０重量％のＢ２Ｏ３、１〜２５重量％のＬｉ２Ｏ、および１〜２５重量％のＭｇＯから成ることを特徴とする請求項１に記載のスキャフォールド。
【請求項２０】
前記スキャフォールド本体の構成要素が、本質的に、４０〜９０重量％のＢ２Ｏ３、１〜２５重量％のＬｉ２Ｏ、および１〜４０重量％のＢａＯから形成されることを特徴とする請求項１に記載のスキャフォールド。
【請求項２１】
前記スキャフォールド本体の構成要素が、本質的に、４０〜９０重量％のＢ２Ｏ３、０．１〜５％のＣｕＯ、１〜２５重量％のＮａ２Ｏ、１〜２５重量％のＫ２Ｏ、１〜２５重量％のＭｇＯおよび１〜１０重量％のＰ２Ｏ５から成ることを特徴とする請求項１に記載のスキャフォールド。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
以下の：
一次ラップ角での一次らせん成分、及び二次ラップ角での二次らせん成分；並びに
一次直径と一次軸長を有する管状構造；
を含む管状構造物であって、該管状構造物が、該一次軸長から伸長された二次軸長に増大されるとき、該一次直径が拡大された二次直径に増大し、該管状構造物は、少なくとも２つのらせん成分から形成され、該らせん成分の各々は、該管状構造物の周囲に同一の相対的方向で適用されるが、互いに対して異なる角度で配向され；該管状構造物に軸力が管状構造に適用されるとき、これらのらせん成分間の相対角度が増大して該拡大された二次直径を形成する、前記管状構造物。
【請求項２】
前記管状構造物が、自己拡張型デバイスを含有する鞘を含む、請求項１に記載の管状構造物。
【請求項３】
前記自己拡張型デバイスが、埋め込み型医療用デバイスを含む、請求項２に記載の管状構造物。
【請求項４】
前記埋め込み型医療用デバイスがステントを含む、請求項３に記載の管状構造物。
【請求項５】
主軸と関連して用いられる製造補助物を含む、請求項１に記載の管状構造物。
【請求項６】
前記二次直径が、前記一次直径よりも少なくとも5％大きい、請求項１に記載の管状構造物。
【請求項７】
前記二次直径が、前記一次直径よりも少なくとも10％大きい、請求項１に記載の管状構造物。
【請求項８】
前記二次直径が、前記一次直径よりも少なくとも15％大きい、請求項１に記載の管状構造物。
【請求項９】
以下の：
一次軸長と一次直径を含む管状構造物であって、張力下で、離軸歪が管状構造に形成され；そして、張力が適用されるとき、管状構造物が二次伸長軸長と拡大二次直径を呈し；該管状構造物が、該管状構造物は、少なくとも２つのらせん成分から形成され、該らせん成分の各々は、該管状構造物の周囲に同一の相対的方向で適用されるが、互いに対して異なる角度で配向され；該管状構造物に軸力が管状構造に適用されるとき、これらのらせん成分間の相対角度が増大して該拡大された二次直径を形成する、前記管状構造物。
【請求項１０】
前記二次直径が前記一次直径よりも少なくとも10％大きい、請求項９に記載の管状構造物。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
哺乳類に移植して、身体組織の修復、再生および／または増殖における血管成長を促進するためのスキャフォールドであって、
前記スキャフォールドは、繊維、中空繊維、チューブ、リボン、中実球、中空球、粒子、結合した粒子、およびそれらの組合せからなる群から選ばれる物理的形態にされた生体適合性材料のスキャフォールド本体を含み、
前記生体適合性材料は、約４０〜約８０重量％のＢ２Ｏ３を含み、
前記生体適合性材料は、約０．０５〜１０重量％の濃度で生体適合性材料に化学的に溶解しているＣｕ、Ｆｅ、ＳｒおよびＺｎからなる群から選ばれる１種以上の微量元素を含むことを特徴とするスキャフォールド。
【請求項２】
前記生体適合性材料が、
約４０〜約８０重量％のＢ２Ｏ３と、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、を含むことを特徴とする請求項１に記載のスキャフォールド。
【請求項３】
生体適合性組成物が、
約４０〜約８０重量％のＢ２Ｏ３と、
約１〜約５０重量％のＬｉ２Ｏ、Ｎａ２Ｏ、Ｋ２Ｏ、およびＲｂ２Ｏからなる群から選ばれる１種以上のアルカリ酸化物と、
約１〜約５０重量％のＭｇＯ、ＳｒＯ、ＢａＯおよびＣａＯからなる群から選ばれる１種以上のアルカリ土金属酸化物と、を含むことを特徴とする請求項１に記載のスキャフォールド。
【請求項４】
生体適合性組成物が、
約４０〜約８０重量％のＢ２Ｏ３と、
約５〜約２０重量％のＬｉ２Ｏ、Ｎａ２Ｏ、Ｋ２Ｏ、およびＲｂ２Ｏからなる群から選ばれる１種以上のアルカリ酸化物と、
約５〜約４０重量％のＭｇＯ、ＳｒＯ、ＢａＯおよびＣａＯからなる群から選ばれる１種以上のアルカリ土金属酸化物と、を含むことを特徴とする請求項１に記載のスキャフォールド。
【請求項５】
生体適合性組成物が、
約４０〜約８０重量％のＢ２Ｏ３と、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．１〜２．５重量％の濃度のＣｕと、を含むことを特徴とする請求項１に記載のスキャフォールド。
【請求項６】
生体適合性組成物が、
約４０〜約８０重量％のＢ２Ｏ３と、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．０５〜５重量％の濃度のＦｅと、を含むことを特徴とする請求項１に記載のスキャフォールド。
【請求項７】
生体適合性組成物が、
約４０〜約８０重量％のＢ２Ｏ３と、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．０５〜５重量％の濃度のＳｒと、を含むことを特徴とする請求項１に記載のスキャフォールド。
【請求項８】
生体適合性組成物が、
約４０〜約８０重量％のＢ２Ｏ３と、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．０５〜５重量％の濃度のＺｎと、を含むことを特徴とする請求項１に記載のスキャフォールド。
【請求項９】
哺乳類へ移植して、身体組織の修復、再生および／または増殖における血管成長を促進するためのスキャフォールドであって、
前記スキャフォールドは、
繊維、中空繊維、チューブ、リボン、中実球、中空球、粒子、結合した粒子、およびそれらの組合せからなる群から選ばれる物理的形態にされた生体適合性材料を含むスキャフォールド本体であって、前記生体適合性材料は約５０〜８０重量％のＢ２Ｏ３を含む、スキャフォールド本体と、
約０．０５〜１０重量％の濃度で前記生体適合性材料に化学的に溶解している、Ｃｕ、Ｆ、Ｆｅ、Ｍｎ、Ｍｏ、Ｎｉ、ＳｒおよびＺｎからなる群から選ばれる１種以上の微量元素と、を含むことを特徴とするスキャフォールド。
【請求項１０】
組成物は、繊維または結合された粒子の形態であることを特徴とする請求項９に記載のスキャフォールド。
【請求項１１】
組成物が、０．１重量％以下のＣａを含むことを特徴とする請求項９または１０に記載のスキャフォールド。
【請求項１２】
前記生体適合性材料は、リンを含有する前記哺乳類の体液中で、骨前駆体リン酸カルシウム化合物に転化されないことを特徴とする請求項９〜１１のいずれかに記載のスキャフォールド。
【請求項１３】
前記１種以上の微量元素が、Ｃｕ、Ｆｅ、ＳｒおよびＺｎからなる群から選ばれることを特徴とする請求項９〜１２のいずれかに記載のスキャフォールド。
【請求項１４】
組成物は、繊維または結合した粒子の形態であることを特徴とする請求項１３に記載のスキャフォールド。
【請求項１５】
組成物は、繊維または結合した粒子の形態であり、前記微量元素が約０．０５〜５重量％の濃度のＣｕであることを特徴とする請求項１３に記載のスキャフォールド。
【請求項１６】
前記微量元素が、約０．０５〜５重量％の濃度のＣｕであることを特徴とする請求項１３に記載のスキャフォールド。
【請求項１７】
前記微量元素が約０．０５〜５重量％の濃度のＣｕであり、組成物は繊維の形態であり、スキャフォールドはＣｕ約０．５〜約１００Ｅ−７モル／ガラスｇ／日の放出速度を有することを特徴とする請求項１３に記載のスキャフォールド。
【請求項１８】
生体適合性組成物が、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．１〜約２．５重量％の濃度のＣｕと、を含むことを特徴とする請求項１３に記載のスキャフォールド。
【請求項１９】
生体適合性組成物が、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．０５〜約５重量％の濃度のＦｅと、を含むことを特徴とする請求項１３に記載のスキャフォールド。
【請求項２０】
生体適合性組成物が、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．０５〜約５重量％の濃度のＳｒと、を含むことを特徴とする請求項１３に記載のスキャフォールド。
【請求項２１】
生体適合性組成物が、
Ｌｉ２Ｏ、Ｎａ２Ｏ、Ｋ２Ｏ、およびＲｂ２Ｏからなる群から選ばれる１種以上のアルカリ酸化物と、
ＭｇＯ、ＳｒＯ、ＢａＯおよびＣａＯからなる群から選ばれる１種以上のアルカリ土金属酸化物と、
約０．０５〜約５重量％の濃度のＺｎと、を含むことを特徴とする請求項１３に記載のスキャフォールド。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
解剖学的構造の範囲内で流体の流れを測定する装置であって：
血管内に挿入可能であるように構築されて、前記解剖学的構造の少なくとも一部に少なくとも１つの放射を導くように構成される、少なくとも１つの第１のプローブ・アレンジメント；
前記プローブ・アレンジメントを介して前記流体から提供される第１の放射と、自身の波長に応じて参照経路から提供される第２の放射との間の干渉を検出するように構成される、少なくとも１つの第２のアレンジメント；および、
前記干渉に応じて前記流体の少なくとも１つの特性を決定するように構成される、少なくとも１つの第３のアレンジメント；
を備える装置。
【請求項２】
前記少なくとも１つの第３のアレンジメントは、前記干渉の強度に応じて前記少なくとも１つの特性を決定する、請求項１に記載の装置。
【請求項３】
前記少なくとも１つの特性は、（ｉ）血管の内部の流体の流れ、粘度、密度、速度、冠血流予備能、血流予備量比、冠血流速度予備能、平均ピーク速度、最大ピーク速度、平均、ピーク速度または圧力のうちの少なくとも１つを含む特定のパラメータ、または（ｉｉ）前記特定のパラメータの多次元分布、のうちの少なくとも１つを含む、請求項１に記載の装置。
【請求項４】
前記少なくとも１つの第３のアレンジメントは、（ｉ）前記血管の内部のマルチプルな長手方向位置で、（ｉｉ）前記血管の壁の、（ｉｉｉ）相関手順を用いて、（ｉｖ）前記少なくとも１つの第１のプローブ・アレンジメントからの測定されている前記流体の距離に応じてまたは時間に応じて、（ｖ）前記流体と関連した画像のスペックルパターンを分析することにより、（ｖｉ）薬理作用のある物質（薬物）の投与の前または後のうちの少なくとも１つで、のうちの少なくとも１つにおいて前記少なくとも１つの特性を決定する、請求項１に記載の装置。
【請求項５】
前記少なくとも１つの第３のアレンジメントは、狭窄、閉塞またはステント留置されたセグメントに対する少なくとも１つの近位または遠位で前記少なくとも１つの特性を決定する、請求項４に記載の装置。
【請求項６】
前記少なくとも１つの第３のアレンジメントは、（ｉ）前記血管の壁の少なくとも１つのプロパティまたはジオメトリーを決定、または（ｉｉ）前記血管の内部の圧力に基づいて前記血流予備量比を生成、のうちの少なくとも１つをするようにさらに構成される、請求項１に記載の装置。
【請求項７】
前記壁のプロパティは、前記壁の内腔の輪郭または生体力学的プロパティ、あるいは前記壁の組織の特性である、請求項６に記載の装置。
【請求項８】
前記少なくとも１つの第１のプローブ・アレンジメントは、カテーテル、ワイヤまたは外筒のうちの少なくとも１つを含む、請求項１に記載の装置。
【請求項９】
前記流体は、血液、透明な媒質、それらの組み合わせ、のうちの少なくとも１つを含む、請求項１に記載の装置。
【請求項１０】
前記第１の放射または前記第２の放射のうちの少なくとも１つの波長は、時間とともに変化する、請求項１に記載の装置。
【請求項１１】
前記少なくとも１つの第２のアレンジメントは、各々前記干渉の別個の波長バンドを検出するように構成された検出器の少なくとも１つのアレイを含む、請求項１に記載の装置。
【請求項１２】
前記少なくとも１つの第３のアレンジメントは、前記流体が前記血管の壁のプロパティに関して少なくとも１つの特性および情報に基づいて測定されないところで、流体のさらなる特性を推定するように、さらに構成される、請求項１に記載の装置。
【請求項１３】
前記少なくとも１つの特性は、前記血管の内部の前記流体の圧力であり、そして、前記少なくとも１つの第３のアレンジメントは、前記血管の壁のプロパティに応じて前記圧力を決定する、請求項１に記載の装置。
【請求項１４】
前記少なくとも１つの第３のアレンジメントは、前記干渉を用いて前記血管の壁の少なくとも１つの三次元情報を決定するようにさらに構成される、請求項１に記載の装置。
【請求項１５】
前記少なくとも１つの第１のプローブ・アレンジメントは、前記装置のオペレーション中、静止しているように構成される、請求項１に記載の装置。
【請求項１６】
前記少なくとも１つの第３のアレンジメントは、さらなる生理的測定値と同期をとって前記少なくとも１つの特性を決定する、請求項４に記載の装置。
【請求項１７】
前記さらなる生理的測定値は、ＥＫＧ、心拍数、収縮期（最高）または拡張期（最低）血圧、最大の流れ、最小の流れ、動脈圧または動脈圧測定のうちの少なくとも１つである、請求項１６に記載の装置。
【請求項１８】
前記少なくとも１つの第１のプローブ・アレンジメントは、前記少なくとも１つの第１のプローブ・アレンジメントの延長の方向に対してほぼ垂直な軸線に沿って、前記少なくとも一部に前記少なくとも１つの放射を導く、請求項１に記載の装置。
【請求項１９】
前記少なくとも１つの第３のアレンジメントは、前記少なくとも１つの特性に基づいて音を生成する、請求項１に記載の装置。
【請求項２０】
前記少なくとも１つの第１のプローブ・アレンジメントの位置は、音に基づく、請求項１に記載の装置。
【請求項２１】
圧力測定のためのさらなるアレンジメントをさらに備える、請求項１に記載の装置。
【請求項２２】
前記さらなるアレンジメントは、（ｉ）前記カテーテルを通って伝播する電磁放射線に基づく圧力情報を生成するように構成される、または（ｉｉ）ファブリ・ペローまたはファイバ格子センサのうちの少なくとも１つを含む、のうちの少なくとも１つである、請求項２１に記載の装置。
【請求項２３】
解剖学的構造の範囲内で流体の流れを測定する方法であって：
少なくとも１つの第１のプローブ・アレンジメントを介して前記流体から提供される第１の放射と、自身の波長に応じて参照経路から提供される第２の放射との間の干渉を検出するステップであって、前記少なくとも１つの第１のプローブは、血管内に挿入されて、前記解剖学的構造の少なくとも一部に少なくとも１つの放射を導くように構成される、ステップ；および、
前記干渉を用いて前記流体の少なくとも１つの特性を決定するステップ；
を含む方法。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
太陽熱を収集及び貯蔵する太陽熱収集器であって、前記太陽熱収集器の頂部をカバーするための取り外し可能な部分であって穴を有する取り外し可能な部分を有する太陽熱収集器と、
前記太陽熱収集器を部分的に満たす第１の固体の蓄熱・伝熱材料であって、前記太陽熱収集器が水の沸騰温度よりも高い温度まで前記第１の固体の蓄熱・伝熱材料を加熱可能な第１の固体の蓄熱・伝熱材料と、
前記太陽熱収集器内に配置されたソーラー式調理器であって、前記太陽熱収集器の内部のサイズと形状に適合するように寸法付けされ、且つ当該調理器に熱を輸送するように前記太陽熱収集器の内壁及び前記第１の固体の蓄熱・伝熱材料と熱的に接続された壁を有し、且つ当該調理器を開閉するための取り外し可能な部分を有するソーラー式調理器と、
太陽熱を前記調理器により早く輸送するために前記第１の固体の蓄熱・伝熱材料の中に配置された第２の伝熱／熱輸送材料であって、熱チューブ、金属の伝導体、合金の伝導体、及び熱のより早い輸送が可能な伝熱体からなる群から選択される第２の伝熱／熱輸送材料と、
を備えたソーラー式調理装置。
【請求項２】
太陽熱を収集及び貯蔵する太陽熱収集器と、
前記太陽熱収集器を部分的に満たす第１の固体の蓄熱・伝熱材料であって、前記太陽熱収集器が水の沸騰温度よりも高い温度まで前記第１の固体の蓄熱・伝熱材料を加熱可能な第１の固体の蓄熱・伝熱材料と、
前記太陽熱収集器内に配置されたソーラー式調理器であって、前記太陽熱収集器の内部のサイズと形状に適合するように寸法付けされ、且つ当該調理器に熱を輸送するように前記太陽熱収集器の内壁及び前記第１の固体の蓄熱・伝熱材料と熱的に接続された壁を有し、且つ当該調理器を開閉するための取り外し可能な部分を有するソーラー式調理器と、
熱源のバックアップと電熱の貯蔵とを提供する電気ヒータであって、前記ソーラー式調理器の下であって前記第１の固体の蓄熱・伝熱材料の中に配置された電気ヒータと、
を備えたソーラー式調理装置。
【請求項３】
前記太陽熱収集器は、真空管式の太陽熱収集器、及び複数のモジュール式の真空管式の太陽熱収集器、からなる群から選択される請求項１又は２に記載のソーラー式調理装置。
【請求項４】
前記真空管式の太陽熱収集器は、安全上の理由のために、透明なカバー、脱気された強化ガラス管の太陽熱収集器、又は透明なプラスチック製の保護マントルを含む請求項３に記載のソーラー式調理装置。
【請求項５】
前記第１の固体の蓄熱・伝熱材料は、塩、砂、石英砂、固体化学材料、固体のマルチＨ２Ｏ化学材料、玄武岩砂、金属からなる熱伝導体、銅、伝熱合金、及びこれら蓄熱・伝熱材料の２種又はより多くの材料の組合せ、からなる群から選択される請求項１又は２に記載のソーラー式調理装置。
【請求項６】
前記第１の固体の蓄熱・伝熱材料は、
２種以上の異なる固体材料の組合せ、及び
わずかな液体材料と混合され、当該液体材料が水の沸騰温度よりも高い温度まで加熱可能である前記第１の固体の蓄熱・伝熱材料、
からなる群から選択される請求項１又は２に記載のソーラー式調理装置。
【請求項７】
前記第１の固体の蓄熱・伝熱材料は、菜種油（ｃｏｌｚａ ｏｉｌ）を含有する石英砂、及び大豆油を含有する玄武岩砂からなる群から選択される請求項６に記載のソーラー式調理装置。 
【請求項８】
前記ソーラー式調理器は、ステンレス鋼からなる容器であり、当該容器は内壁に除去可能且つ取り外し可能なハンドルを有し、且つ頂部から底部までの外壁には空気交換のための隙間および経路を提供するためのひだ状の構造が設けられ、且つこれによって当該容器のための直径の微調整が可能にされている請求項１又は２に記載のソーラー式調理装置。
【請求項９】
前記ソーラー式調理器は、コーヒー及び／又は茶を作るためのコーヒー／ティーメーカーである請求項１又は２に記載のソーラー式調理装置。
【請求項１０】
前記ソーラー式調理器は、
食品を揚げ且つ油切りするためのワイヤメッシュを有するフライヤー、
食品をローストし且つ焼くために前記調理器の内壁に食品をプレスするためのウィスカーネット、及び、
中華鍋及びポット、
からなる群から選択される部品を更に備える請求項１又は２に記載のソーラー式調理装置。
【請求項１１】
前記ソーラー式調理器は、食品を揚げ、ソテーし又は焼き付けるために１又は２以上の小さいフライパンが並行して保持される平鍋である請求項１又は２に記載のソーラー式調理装置。
【請求項１２】
前記ソーラー式調理装置の各部分を配置し支持する架台、
太陽光に対する前記太陽熱収集器の角度を調節するための傾斜構造、
太陽光に対する前記太陽熱収集器の方角を調節するための方角構造、
周囲の太陽光を前記太陽熱収集器に収束せしめる光反射体、及び、
太陽光の角度を表示するために前記太陽熱収集器に固定された日時計、
のうちの一つ以上を更に含む請求項１又は２に記載のソーラー式調理装置。
【請求項１３】
前記ソーラー式調理装置内の食品を包み又は被覆するための袋及び／又は膜であって、金属、紙、プラチック、及びこれらの組合せからなる群から選択された材料からなる袋及び／又は膜を更に備える請求項１又は２に記載のソーラー式調理装置。
【請求項１４】
前記ソーラー式調理装置を貯蔵して可搬式のソーラー式調理装置を構成するためのスーツケースを更に備える請求項１又は２に記載のソーラー式調理装置。
【請求項１５】
前記電熱要素は、
極めて高い耐熱温度を有し、容器の壁のひだ状の構造によって形成された経路を通じて、前記太陽熱収集器の外にある電力供給プラグを経由して電熱要素に接続する電力ケーブルを備えた電気ヒータ、
動作データの測定デバイスとデータ表示デバイスとを備えた電気ヒータであって、当該動作データは、動作持続時間、温度、圧力、湿度、及び任意の動作データの組み合わせからなる群から選択される電気ヒータ、及び、
前記ソーラー式調理装置の動作データのための制御システムを有する電気ヒータであって、当該動作データは、タイミング、温度、圧力、湿度、及び上記データの混成の組み合わせからなる群から選択される電気ヒータ、
からなる群から選択される請求項２に記載のソーラー式調理装置。
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
外科手術用スパチュラであって、
平面パドルと、
前記平面パドルの第１の端部から離れて延在するハンドルとを備え、
前記ハンドルは、マイクロ波電源からのエネルギを受けるように接続可能な同軸電力給電部を含み、
前記パドルは、前記同軸電力給電部に接続されるマイクロ波搬送構造を含み、
前記マイクロ波搬送構造は、前記第１の端部の反対の前記パドルの前端部において囲まれるとともに、前記第１の端部から離れて延在する前記パドルの側面に沿って開放されており、マイクロ波放射場がその側面から照射されることを可能にする、外科手術用スパチュラ。
【請求項２】
前記マイクロ波搬送構造は、前記同軸電力給電部に接続されるストリップライン構造を有し、
前記ストリップライン構造は、前記パドルの開放側面端部に配置される複数の放射素子を有するマイクロ波回路を含む、請求項１に記載の外科手術用スパチュラ。
【請求項３】
前記マイクロ波回路は、前記同軸電力給電部のインピーダンスを、自由空間への放射を禁止するが生物組織内への放射を促進するように選択された所定のインピーダンスにマッチングするように構成されたインピーダンス変換器を含む、請求項２に記載の外科手術用スパチュラ。
【請求項４】
前記前端部は、スライシングに不適であるように平滑である、請求項１〜３のいずれか１項に記載の外科手術用スパチュラ。
【請求項５】
内視鏡および請求項１〜４のいずれか１項に記載の外科手術用スパチュラを備える外科手術用器具であって、
前記内視鏡の器具チャネルは、同軸電力ケーブルを支え、
前記スパチュラの前記ハンドルは、前記同軸電力給電部を前記同軸電力ケーブルに接続するように前記器具チャネルの先端部に取り付け可能である、外科手術用器具。
【請求項６】
前記パドルの幅は４ｍｍよりも狭い、請求項５に記載の外科手術用器具。
【請求項７】
前記マイクロ波搬送構造は、前記ハンドルの第１の端部に接続される一片のセラミックを含み、前記一片のセラミックは、前記第１の端部に直交する前記パドルの開放側面端部に沿った非金属化領域を除いて金属化された外表面を有し、
前記一片のセラミックの前記金属化された外表面は、前記同軸電力給電部の外部導体に接続され、
前記一片のセラミックは、前記同軸電力給電部の内部導体を受けるための通路を有し、前記非金属化領域からマイクロ波放射場が照射されることを可能にする、請求項１に記載の外科手術用スパチュラ。
【請求項８】
１つまたはより多くの上面および／または下面、および／または、一方または両方の側面は、そこからマイクロ波放射場が照射されることを可能にするように開放している、請求項１〜７のいずれか１項に記載の外科手術用スパチュラ。
【請求項９】
外科手術用器具であって、
請求項１〜８のいずれか１項に記載の外科手術用スパチュラと、
内視鏡と、
前記内視鏡の器具チャネルを通って延びるマイクロ波給電ケーブルを介して、前記スパチュラへマイクロ波エネルギを搬送するように接続されたマイクロ波生成器とを備え、
前記外科手術用スパチュラのハンドルは、前記パドルがそこから突出するように前記器具チャネルの遠位端に固定され、
前記ハンドルの前記同軸電力給電部は、前記マイクロ波給電ケーブルに接続される、外科手術用器具。
【請求項１０】
前記ハンドルは、前記器具チャネルと締まりばめを形成するようにテーパー状とされる、請求項９に記載の外科手術用器具。
【請求項１１】
前記ハンドルは、前記器具チャネルにおける対応するキー溝によって係止するためのキーを含む、請求項９に記載の外科手術用器具。
【請求項１２】
前記マイクロ波給電ケーブルと前記ハンドルの前記同軸電力給電部との間の接触面を囲むように取り付けられる絶縁スリーブをさらに含む、請求項９〜１１のいずれかに記載の外科手術用器具。
【請求項１３】
前記開放側面端部におけるインピーダンスマッチングを表わす反射信号情報を検出して、前記スパチュラに搬送される電力レベルを制御するように構成された検出器をさらに含む、請求項９〜１２のいずれかに記載の外科手術用器具。
【請求項１４】
前記スパチュラは、複数の開放側面端部および／または開放側面を有し、
各開放側面端部または開放側面は、前記検出された反射信号情報に基づいて選択的に動作可能な、個別のマイクロ波搬送構造を有する、請求項１３に記載の外科手術用器具。
【請求項１５】
前記スパチュラは、前記マイクロ波生成器からの電力を受けるための個別のマイクロ波搬送構造を選択するように構成された、電子的に制御されるスイッチをさらに含む、請求項１４に記載の外科手術用器具。
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
医療装置において、好ましくは円筒である細長い部材の端部と、前記細長い部材の前記端部を受け入れる、好ましくは円筒形の管である管の端部との間の伸縮する長手方向の相対運動を阻止する方法であって、
所定の長さの変形可能な阻止スリーブ材料を設けるステップと、
前記長さの先端部を、前記細長い部材の半径方向外側表面または前記管の内側表面に取り付けるステップと、
前記阻止スリーブ材料の前記先端部を、続いてその長さを、前記細長い部材と前記管の間における、好ましくは環状の間隙である間隙中に引き込むようにする相対的な長手方向運動を前記細長い部材および前記管に付与するステップと、
相対的な長手方向運動の方向を逆にして、前記阻止スリーブ材料の長さが、更なるこのような逆の長手方向運動を無効にする長手方向の変形を受けるまで継続するステップと
を含み、
前記阻止スリーブ材料が、高められた摩擦を提供するように前記逆の相対的な長手方向運動の下で潰され、または折り畳まれる材料から形成される、方法。
【請求項２】
医療装置において、好ましくは円筒である少なくとも細長い部材と、好ましくは円筒形の管である管との間で、請求項１に記載の方法を用いて接合部を形成する方法であって、
前記スリーブ材料は、細長い部材の一部を少なくとも部分的に取り囲む管状のスリーブ材料であり、
前記スリーブは、初めに、前記スリーブの遠位端で前記細長い部材に固定され、
次に、前記スリーブにより囲まれた前記細長い部材の前記一部が、遠位方向に、管の中へと挿入され、
次に、前記スリーブが形状を変えて、高められた摩擦を前記管の少なくとも内側表面に加えるように、引張力が、近位方向に、前記管に対して前記細長い部材に加えられる、方法。
【請求項３】
医療装置において、好ましくは円筒である細長い部材と、好ましくは円筒形の管である管との間で、請求項１に記載の方法を用いて接合部を形成する方法であって、
前記スリーブ材料は、管状のスリーブ材料であり、
前記スリーブは、初めに、前記スリーブの近位端で前記管の一部の内側に固定され、
次に、細長い部材の一部が、遠位方向に、前記スリーブを通るように、前記管の中へ挿入され、
次に、前記スリーブが形状を変えて、高められた摩擦を前記細長い部材の少なくとも外側表面に加えるように、引張力が、近位方向に、前記管に対して前記細長い部材に加えられる、方法。
【請求項４】
前記管が、前記スリーブ材料の近位側で前記細長い部材に固定される、請求項２または３に記載の方法。
【請求項５】
前記管の内側に前記細長い部材を配置する前記ステップの前に、スリーブの前記第１の部分の近位側で前記細長い部材の一部を囲むスリーブの第２の部分を配置するステップと、
スリーブの前記第２の部分を、前記スリーブの遠位端で、前記細長い部材に固定するステップと、
引張力を、近位方向に、前記管に対して前記細長い部材に加える前記ステップの後に、前記スリーブの前記第２の部分が形状を変えて、前記細長い部材と前記管の間の半径方向の空間に高められた摩擦を加えるように、スリーブの前記第２の部分の近位端を前記管の前記遠位端の方向に移動させるステップと
をさらに含む、請求項２から４のいずれか一項に記載の方法。
【請求項６】
スリーブの前記第２の部分が、スリーブの前記第１の部分よりも長い、請求項５に記載の方法。
【請求項７】
スリーブの前記第２の部分の前記近位端を、前記接合部の前記遠位端の方向に移動させる前記ステップが、環状のプラグを前記管の前記近位端に適用することにより達成される、請求項５または６に記載の方法。
【請求項８】
医療装置における接合部であって、
少なくとも、好ましくは円筒である細長い部材および好ましくは円筒形の管である管を備え、管状のスリーブ材料の第１の部分が、前記細長い部材の一部を少なくとも部分的に取り囲んでおり、かつ前記スリーブの遠位端で前記細長い部材に固定されており、
前記スリーブにより取り囲まれた前記細長い部材の前記一部が、前記管の内側に配置され、
前記接合部を横切る引張力の下で、前記スリーブが、高められた摩擦を少なくとも前記管の内側表面に加えるように形状を変えるように構成され、または形状を変え、
前記スリーブが、前記高められた摩擦を提供するように潰されまたは折り畳まれるように構成された材料、または、前記高められた摩擦を提供するように潰されまたは折り畳まれた材料から形成される、医療装置における接合部。
【請求項９】
前記管が、前記スリーブの近位側で前記細長い部材に固定される、請求項８に記載の接合部。
【請求項１０】
スリーブの前記第１の部分の近位側で前記細長い部材の一部を取り囲むスリーブの第２の部分であって、前記スリーブの遠位端で前記細長い部材に固定された、スリーブの第２の部分をさらに備え、
スリーブの前記第２の部分の近位端が、前記接合部の遠位端の方向にさらに圧縮され、
前記接合部を横切る引張力の下で、前記スリーブの前記第２の部分が、高められた摩擦力を前記細長い部材と前記管の間の半径方向の空間に加えるように形状を変え、または変えており、
前記スリーブが、前記高められた摩擦を提供するように潰されまたは折り畳まれるように構成された材料、または、前記高められた摩擦を提供するように潰されまたは折り畳まれた材料から形成される、請求項８または９に記載の接合部。
【請求項１１】
スリーブの前記第２の部分が、スリーブの前記第１の部分よりも長い、請求項１０に記載の接合部。
【請求項１２】
スリーブの前記第２の部分の前記近位端が、環状のプラグにより前記接合部の前記遠位端の方向にさらに圧縮される、請求項１０または１１に記載の接合部。
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
哺乳類被験体における遺伝子発現レベルを決定する方法であって、被験体から得られた試験試料における配列番号：１２、１４、１６、１８、２０及び２２の何れか一つに示されるポリペチドをコードする核酸の、コントロールの発現レベルに対する異なる発現レベルを決定することを含んでなり、前記異なる発現レベルは試験試料が得られた被験体における炎症性腸疾患（ＩＢＤ）の存在を示す方法。
【請求項２】
異なる発現レベルが、配列番号：１２、１４及び１６の何れか一つに示されるポリペチドをコードする核酸のより低いレベルの発現であり、より低いレベルの発現は試験試料が得られた被験体におけるＩＢＤの存在を示す請求項１に記載の方法。
【請求項３】
異なる発現レベルが、配列番号：１８、２０、及び２２の何れか一つに示されるポリペチドをコードする核酸のより高いレベルの発現であり、より高いレベルの発現は試験試料が得られた被験体におけるＩＢＤの存在を示す請求項１に記載の方法。
【請求項４】
前記哺乳類被験体がヒト患者である請求項１、２、又は３に記載の方法。
【請求項５】
前記発現レベルのエビデンスが、遺伝子発現プロファイリングの方法によって得られる請求項４に記載の方法。
【請求項６】
前記方法が、ＰＣＲに基づいた方法である請求項４に記載の方法。
【請求項７】
前記発現レベルが、一又は複数の参照遺伝子、又はそれらの発現産物の発現レベルに対して正規化される請求項５に記載の方法。
【請求項８】
少なくとも２つの前記遺伝子、又はそれらの発現産物の発現レベルのエビデンスを決定することを含んで成る請求項１、２又は３に記載の方法。
【請求項９】
少なくとも３つの前記遺伝子、又はそれらの発現産物の発現レベルのエビデンスを決定することを含んで成る請求項１、２又は３に記載の方法。
【請求項１０】
少なくとも４つの前記遺伝子、又はそれらの発現産物の発現レベルのエビデンスを決定することを含んで成る請求項１又は２に記載の方法。
【請求項１１】
少なくとも５つの前記遺伝子、又はそれらの発現産物の発現レベルのエビデンスを決定することを含んで成る請求項１又は２に記載の方法。
【請求項１２】
前記ＩＢＤ検出をまとめたレポートを作成する工程を更に含んで成る請求項１、２又は３に記載の方法。
【請求項１３】
前記ＩＢＤが、クローン病である請求項１、２又は３に記載の方法。
【請求項１４】
前記試験試料が、結腸組織生検からである請求項１、２、又は３に記載の方法。
【請求項１５】
前記生検が、回腸結腸、上行結腸、下行結腸、及びＳ状結腸からなる群から選択される組織からである請求項１４に記載の方法。
【請求項１６】
前記生検が、炎症性結腸領域由来である請求項１４に記載の方法。
【請求項１７】
前記生検が、非炎症性結腸領域由来である請求項１４に記載の方法。
【請求項１８】
前記決定工程は前記哺乳類被験体におけるＩＢＤの再発を示し、且つ前記哺乳類被験体は以前にＩＢＤと診断され、以前に診断された前記ＩＢＤに対して治療を受けている請求項１、２又は３に記載の方法。
【請求項１９】
前記治療が手術を含む請求項１８に記載の方法。
【請求項２０】
前記決定工程が、前記哺乳類被験体における前記ＩＢＤの再発を示す請求項１、２又は３に記載の方法。